(57)【要約】  本発明は、ヨウ素化合物を含む流体の圧力測定装置１であって、流体の圧力測定を可能にする手段が内部に配置された本体２を含んでいる装置に関し、この装置は、ヨウ素化合物に対する保護手段５、１０を含んでいることを特徴とする。本発明は、また、ヨウ素化合物に対する保護手段５、１０を含む圧力センサに関する。
2017502316.tif 000002
【特許請求の範囲】
【請求項１】
ヨウ素化合物を含む流体の圧力測定装置１であって、流体の圧力測定を可能にする手段が内部に配置された本体２を含んでいる装置において、ヨウ素化合物に対する保護手段５１、１０を含んでいることを特徴とする装置。
【請求項２】
前記保護手段５１、１０が、アルミニウムからなる、請求項１に記載の装置。
【請求項３】
前記保護手段５１、１０が、亜鉛、スズ、銅、銀、またはニッケルからなり、あるいはこれらにより被覆されている、請求項１に記載の装置。
【請求項４】
前記保護手段１０が、装置の空気供給ダクト６に組み込まれている、請求項１から３のいずれか一項に記載の装置。
【請求項５】
前記保護手段１０が、それらの形状が前記空気供給ダクト６に適合されて流体と接触でき、前記流体は装置のセンサまで到達できるように構成されている、請求項４に記載の装置。
【請求項６】
前記保護手段１０が、チューブの一部またはプレートの形状を呈する追加要素によって形成されている、請求項４または５のいずれか一項に記載の装置。
【請求項７】
前記保護手段５１が、装置のセンサに組み込まれている、請求項１から３のいずれか一項に記載の装置。
【請求項８】
前記保護手段５１が、前記センサのハウジング５のカバー５１によって形成されている、請求項７に記載の装置。
【請求項９】
前記保護手段が、前記装置の固定手段９または前記装置の他のあらゆる支持部品に組み込まれている、請求項１から３のいずれか一項に記載の装置。
【請求項１０】
前記保護手段が、爪またはバーの形状である、請求項９に記載の装置。
【請求項１１】
ヨウ素化合物を含む自動車のダクト内を流れる流体の圧力測定センサ４であって、ヨウ素に対する保護手段５１、１０を含んでいるセンサ。
【請求項１２】
前記保護手段５１、１０が、前記センサ４のハウジング５のカバーによって形成されている、請求項１１に記載のセンサ。
【請求項１３】
ヨウ素化合物を含む自動車のダクト内を流れる流体の圧力を測定するための、請求項１から１０のいずれか一項に記載の装置または請求項１１から１２のいずれか一項に記載のセンサの使用。
【発明の詳細な説明】
【技術分野】
【０００１】
本発明は流体の圧力測定装置の分野に関し、特に、自動車の流体の圧力センサに関する。本発明は、また、自動車の流体の温度と圧力を同時に測定可能な装置に関する。
【０００２】
より詳しくは、本発明は、自動車の内燃機関のダクト内を流れる流体の圧力測定装置または圧力と温度の測定装置に関する。
【背景技術】
【０００３】
自動車の流体の圧力を少なくとも測定可能な装置はすでに知られている。
【０００４】
これらの装置は、一般に、ハウジングまたはプレートを含み、その内部に、プリント回路と、センサを形成する要素、特にセンサの測定セルと、センサを接続部につなぐ接続配線とが配置されている。従来方式では、センサの感知素子と接続配線がゲル層により保護される。このセンサは、プリント回路に取り付けられる。アセンブリは、電気部分全体を保護するとともに製品をシールするために、製品内に注入される樹脂によって保護される。
【０００５】
このような装置は、配置される環境の制約を受ける。特に、内燃機関のダクト内を流れる空気は、腐食作用があるヨウ素、二ヨウ化物、ジヨードメタン等のヨウ素化合物を含んでおり、これらがゲル層を通り抜ける可能性がある。ゲル層の劣化は、セルおよびセンサ接続部の保護を低下させ、そして、セルと接続部が、ダクトの空気内に存在するヨウ素化合物や他の要素の存在により劣化してしまう。
【０００６】
ゲル層の劣化という課題に対する一時的な解決方法は、ゲル層の厚みを増すことである。しかし、一定時間が経過すると、その厚みに関係なくヨウ素化合物はゲル層を劣化させる。
【発明の概要】
【発明が解決しようとする課題】
【０００７】
したがって、本発明は、ヨウ素化合物の腐食作用に対して保護された改良装置を提案し、従来技術の装置の１つまたは複数の不都合を解消することを目的とする。
【課題を解決するための手段】
【０００８】
このため、本発明は、ヨウ素化合物を含む流体の圧力測定装置であって、流体の圧力測定を可能にする手段が内部に配置された本体を含んでいる装置を提案し、この装置は、ヨウ素化合物に対する保護手段を含んでいる。
【０００９】
本発明の一の実施形態によれば、保護手段がアルミニウムからなる。
【００１０】
本発明の一の実施形態によれば、保護手段が、亜鉛、スズ、銅、銀、またはニッケルからなり、あるいはこれらにより被覆されている。
【００１１】
本発明の一の変形例によれば、保護手段が、装置の空気供給ダクトに組み込まれている。
【００１２】
本発明の一の実施形態によれば、保護手段は、それらの形状が空気供給ダクトに適合されて流体と接触でき、流体は装置のセンサまで到達できるように構成されている。
【００１３】
本発明の一の実施形態によれば、保護手段は、チューブの一部またはプレートの形状を呈する追加要素によって形成されている。
【００１４】
本発明の一の実施形態の変形例によれば、保護手段は、装置のセンサに組み込まれている。
【００１５】
本発明の一の実施形態によれば、保護手段は、圧力測定手段のハウジングのカバーによって形成されている。
【００１６】
本発明の一の実施形態の変形例によれば、保護手段は、装置の固定手段または装置の他のあらゆる支持部品に組み込まれている。
【００１７】
本発明の一の実施形態によれば、保護手段は、爪またはバーの形状である。
【００１８】
本発明は、また、ヨウ素化合物を含む自動車のダクト内を流れる流体の圧力測定センサであって、ヨウ素に対する保護手段を含んでいるセンサに関する。
【００１９】
本発明の一実施形態によれば、保護手段が、センサのハウジングのカバーによって形成されている。
【００２０】
本発明は、また、ヨウ素化合物を含む自動車のダクト内を流れる流体の圧力を測定するための、本発明による装置またはセンサの使用に関する。
【００２１】
本発明の他の目的、特徴および長所は、限定的ではなく例として挙げられた添付図面を参照しながら以下になされた説明を読むことにより、より一層理解され、一段と明らかになるであろう。
【図面の簡単な説明】
【００２２】
【図１】本発明による装置のハウジングを示す概略的な横断面図である。
【図２】本発明による装置の一部分を示す概略的な斜視図である。
【発明を実施するための形態】
【００２３】
本発明は、流体の圧力測定装置に関する。
【００２４】
本発明の一の変形例によれば、この装置は、流体の圧力と温度を測定する。
【００２５】
本発明の範囲において、その一の実施形態によれば、流体とは、自動車エンジンのダクト内を流れる空気を意味する。より詳しくは、流体は、吸気ダクト内を流れる空気である。この流体は、その成分中にヨウ素化合物等の腐食性の要素を含んでいる。
【００２６】
図１と図２に示したように、本発明による測定装置１は、流体の圧力を測定可能にする手段が内部に配置された保護本体２を含んでいる。
【００２７】
図示していないが本発明の一の実施形態によれば、この本体は、流体の温度測定手段を同様に含んでいる。
【００２８】
本発明の一の実施形態によれば、圧力測定を可能にする手段は、プリント回路３により従来方式で形成され、このプリント回路に圧力センサ４が接続される。
【００２９】
圧力センサ４は、従来方式でハウジング５によって形成され、このハウジング内にセンサの測定セルと、センサを接続部につなぐ接続配線とが配置されている。
【００３０】
本発明の一の実施形態によれば、測定セルは、ケイ素セルである。このセルは、セラミック製の基板に貼り合わされる。セルは、その表面にアルミニウム製の配線を有している。ヨウ素化合物により劣化される可能性があるのは特にこれらの配線である。
【００３１】
センサのこれらの要素は、ゲルにより被覆される。本発明の一の実施形態によれば、ゲルはシリコーンゲルである。
【００３２】
プリント回路とセンサとのアセンブリは樹脂により保護される。この樹脂は、より詳しくは電気部分全体を保護し、製品をシールすることができる。
【００３３】
ハウジング５は、圧力を測定しようとする流体が供給される開口部６１を有している。
【００３４】
開口部６１は、装置の本体２に形成された装置の空気供給ダクト６に接続されている。
【００３５】
このように、一の実施形態によれば、装置１は、空気供給ダクト６が装置の上方に配置されるとき、装置内への空気供給ダクト６、次いで、この開口部の下の空きスペース８、次いでゲル層、次いで圧力測定手段を含んでいる。
【００３６】
本発明の一の実施形態によれば、装置は、圧力を測定しようとする流体が内部を流れるダクトに本体を固定する手段９を含んでいる。
【００３７】
本体２または固定手段９は、電気コネクタ（図示せず）に接続され、この電気コネクタは、圧力センサの測定信号、また、温度センサがある場合は温度センサの測定信号を、熱機関の電子制御ユニットに接続されたデータ取得手段に従来の方法で伝達することができる。
【００３８】
本発明による装置は、ヨウ素化合物に対する保護手段５１、１０を含んでいる。より詳しくは、保護手段は、センサの電気部分、特に接続配線を保護する。
【００３９】
ヨウ素化合物に対する保護手段５１、１０は、ヨウ素と反応することによりヨウ素化合物の腐食作用を食い止めることができる材料で形成される。そのため、ヨウ素はこの材料と反応して流れている空気中に存在しなくなるので、このようにして、圧力測定素子はヨウ素による腐食から保護される。
【００４０】
本発明の一の実施形態によれば、この材料はアルミニウムからなる。
【００４１】
本発明の一の実施形態によれば、この材料は、亜鉛、スズ、銅、銀、またはニッケルからなり、あるいはこれらにより被覆されている。
【００４２】
本発明の第１の変形例によれば、これらの保護手段はセンサに組み込まれる。より詳しくは、これらの手段は、圧力測定手段のハウジング５のカバー５１によって形成される。したがって、従来方式ではプラスチック製のこのカバー５１は、本発明の範囲ではアルミニウム、または上記のような他のあらゆる同等材料からなる。このカバー５１は、流体を通過させることが可能な開口部６１を備えている。
【００４３】
本発明の第２の変形例によれば、保護手段１０は、装置の空気供給ダクト６に組み込まれている。
【００４４】
本発明のこの第２の変形例によれば、保護手段は、装置に付加される追加要素１０によって形成される。本発明のこの第２の変形例の一の実施形態によれば、この追加要素は、その形状が本体２の空気供給ダクト６に適合されて流体と接触できるように構成され、流体はセンサまで到達できるようにされている。この追加要素は、たとえば、チューブの一部またはプレートの形状を呈する。この追加要素１０は、本体２の空気供給ダクト６の位置に配置される。より詳しくは、この追加要素１０は、空気供給ダクト６内に配置される。
【００４５】
本発明の第３の変形例によれば、保護手段は、固定手段９または装置の他のあらゆる支持部品（図示せず）に組み込まれる。この第３の変形例によれば、保護手段は、それらの組み込みを可能にするあらゆるタイプの形状を有し、たとえば爪やバー等の形状を呈している。
【００４６】
本発明の範囲は、上記の細部に制限されるものではなく、この発明の適用範囲から離れることなく他の多数の特別な形態による実施形態が可能である。その結果、本発明の実施形態については、例として考慮すべきであり、特許請求の範囲により定義される範囲を逸脱することなく変更可能である。
【図１】
2017502316.tif 000003
【図２】
2017502316.tif 000004
【国際調査報告】
2017502316.tif 000005
2017502316.tif 000006
2017502316.tif 000007
2017502316.tif 000008